(57)【要約】  本発明は、船舶または航空災難時に救命胴衣を着用した遭難者を人工衛星を通じて迅速に探し、遭難者の位置が表示された電子地図及び遭難者の映像をスクリーンを通じて実時間でディスプレイして、遭難者を迅速に救助するための救命胴衣用海上位置追跡による緊急救助システムに関する。より詳細には、前記救命胴衣は、ＧＰＳ衛星及び中継衛星と無線信号を送受信して遭難者の位置を追跡することができる海上位置追跡端末機が取り付けられ、着用した場合、水面に対して頭部及び胸部に浮力がより大きく発生することを特徴とする。【選択図】図１
2008535722.tif 000002
【特許請求の範囲】
【請求項１】
救命胴衣と、マイクロコンピュータに入力されている救助信号及び固有ＩＤを救助信号送信部を通じて複数のＧＰＳ衛星に無線送信する前記救命胴衣に取り付けられた海上位置追跡端末機と、
前記海上位置追跡端末機及びＧＰＳ衛星から信号を受信して前記救命胴衣を着用した遭難者の座標位置を演算し、これを内蔵されている電子地図(ＧＩＳ)に提供し、演算された座標位置を利用して遭難者の映像をモニターリングする中継衛星と、
前記中継衛星から遭難者の座標位置が提供された電子地図及びモニターリングされる遭難者の映像に関する情報を受信し、これらを状況スクリーンに実時間でディスプレイして、遭難者の早期救助のための後続措置を取る中央統制センターと、を有することを特徴とする救命胴衣用海上位置追跡による緊急救助システム。
【請求項２】
前記中央統制センターまたは前記中継衛星から遭難者の座標位置が提供された電子地図、及びモニターリングされる遭難者の映像に関する情報を受信し、これらをスクリーンにディスプレイして、遭難者の救助活動を行う救助隊をさらに有することを特徴とする請求項１に記載の救命胴衣用海上位置追跡による緊急救助システム。
【請求項３】
胸部または腹部と接触する前面板と、背中と接触する背面板とを含む胴体部と、
前記胴体部に脱着可能であって頭を支持する頭部とを有するものであり、
前記胴体部の背面板と頭部に浮力がより大きく発生することを特徴とする請求項１または請求項２に記載の救命胴衣用海上位置追跡による緊急救助システム。
【請求項４】
前記胴体部及び頭部は外皮及び内皮で構成され、前記外皮は抗黴処理された生地で作られ、前記内皮は低密度薄板ポリスチレン素材で作られることを特徴とする請求項３に記載の救命胴衣用海上位置追跡による緊急救助システム。
【請求項５】
前記内皮をなす低密度薄板ポリスチレン素材は、前記胴体部の前面板には４０〜４５枚、背面板には３５〜４０枚を折り重ねて形成し、着用者の胸部により大きな浮力が発生するようにすることを特徴とする請求項４に記載の救命胴衣用海上位置追跡による緊急救助システム。
【請求項６】
前記救命胴衣には夜間発光手段が付着されていることを特徴とする請求項３に記載の救命胴衣用海上位置追跡による緊急救助システム。
【請求項７】
前記夜間発光手段は、ＬＤＰ発光装置及び発光テープであることを特徴とする請求項６に記載の救命胴衣用海上位置追跡による緊急救助システム。
【発明の詳細な説明】
【技術分野】
【０００１】
本発明は、船舶または航空災難時に救命胴衣を着用した遭難者を人工衛星を通じて迅速に探し、遭難者の位置が表示された電子地図及び遭難者の映像をスクリーンを通じて実時間でディスプレイして、遭難者を迅速に救助するための救命胴衣用海上位置追跡による緊急救助システムに関する。より詳細には、前記救命胴衣は、ＧＰＳ衛星及び中継衛星と無線信号を送受信して遭難者の位置を探索することができる海上位置追跡端末機が取り付けられ、着用した場合、水面に対して頭部及び胸部に浮力がより大きく発生することを特徴とする。
【背景技術】
【０００２】
一般的に、救命胴衣は、川や湖水、海などにおけるレジャー活動時の人身事故を防止するために使用されるもので、浮力性に優れて、着用感が良いことを主な機能としていた。しかし、海難事故が発生した場合、救出されるまで数時間から数日がかかる場合も多く、上記のような機能だけではその役割を果たすことができなかった。すなわち、海難事故は、川、海など事故地域が広範囲なため、事故地点及び捜索地域を正確に把握することができなかったり、特に、遭難事故が夜間に発生した場合、救助が遅くなって体温が急激に下がり、凍死や脱力などによる人身事故が多い。そのため、救助時間を最大に短縮し、遭難者の現状況を正確に把握する必要がある。このためには、まず、遭難者の位置を迅速かつ正確に特定しなければならない。
【０００３】
遭難者の位置探索に関連する従来発明としては、特許文献１(２０００年４月７日登録)の「無線救助信号発信機」と、特許文献２(２００３年３月２０日登録)「遭難者の生存及び位置確認システム」などがある。
【特許文献１】韓国登録実用新案公報第２０−０１８６２０２号
【特許文献２】韓国登録特許公報第１０−０３７８５８０号
【特許文献３】韓国公開特許第２００３−８７８４８号
【発明の開示】
【発明が解決しようとする課題】
【０００４】
前記特許文献１の技術は、遭難者の位置を迅速に捜すために、救命服に無線救助信号発信機を取り付けたものであるが、これは位置の精度性及び探索範囲に限界がある。すなわち、広範囲な海では事故発生地点を正確に知ることが難しく、潮流などによって遭難者が事故発生地点から流れていく可能性があるので、通常のアナログ方式の救助信号発信機では遭難者の正確な位置確認が難しいだけでなく、現在の緊急状況を知ることができない。また、その探索範囲にも限界がある。前記特許文献２の技術は、複数のＧＰＳ衛星から受信される信号を利用して無線端末機が遭難者の位置を把握し、これを通信衛星に送信する方式である。ところが、前記ＧＰＳ衛星が信号を送信し、前記通信衛星が遭難者の座標位置を受信する間、遭難者が潮流に流されて遭難者の正確な座標位置を伝達することが難しいなど、遭難者の現在の状況を把握できる手段が欠けている。
【０００５】
また、海上遭難の場合、救助されるまで遭難者の体温を維持し、横になった楽な姿勢(正確に言えば、顔面部が空を見ている姿勢)を取って体力消耗を少なくして、救助されるまでに意識を失わないようにすることが大事である。そして、意識を失った場合にも、顔面部がうつぶせ状態になれば、窒息死するおそれもあるので、安全な姿勢を維持することが重要である。このためには、救命胴衣の部分別に異なる浮力を与える必要がある。
【０００６】
上記のように、救命胴衣の部分別に異なる浮力を与える従来技術としては、特許文献３(２００３年１１月１５日公開)「救命胴衣」などがある。
【０００７】
前記特許文献３は、水中で着用者が垂直に浮かぶことができるように、胸部及びこれと対向する背中部分の上部にその下部よりも大きな浮力を有するようにウレタン樹脂または空気注入式の浮力材を厚く形成した救命胴衣に関するものである。しかし、一般的な救命胴衣を着用した場合にも、遭難者は水中で自然に垂直姿勢を維持しているので、前記特許文献３の技術は他の救命胴衣と大きな差がない。
【課題を解決するための手段】
【０００８】
そこで、本発明は上記従来の問題点に鑑みてなされたものであって、本発明の目的は、救命胴衣に取り付けられた海上位置追跡端末機から救助信号をＧＰＳ衛星及び中継衛星に送信し、前記中継衛星が前記ＧＰＳ衛星から信号を受信して、直接遭難者の座標位置を演算し、これを電子地図上に提供して送信し、演算した座標位置を通じて遭難者の映像を衛星ＤＭＢを利用して送信することにより、遭難者の位置を正確に知り、全地球を救助信号の送信可能範囲として、遭難者の現状況を映像を通じて実時間で把握することで、救命胴衣の着用者が迅速に救助されるようにすることである。
【０００９】
本発明のまた他の目的は、救命胴衣の部分別に浮力が異なるようにして遭難者が楽な姿勢を取るようにして、遭難者の体力消耗を最小化し、遭難者が意識を失った場合にも顔面部が水に浸ることを防止することである。
【発明の効果】
【００１０】
このように、本発明の救命胴衣用海上位置追跡による緊急救助システムは、救命胴衣に取り付けられた海上位置追跡端末機からデジタル方式の救助信号を送信し、中継衛星で遭難者の座標位置を演算することにより、現時点における遭難者の座標位置が正確になり、遭難者の座標位置を電子地図上に提供して送信し、演算された遭難者の座標位置を通じて中継衛星で衛星ＤＭＢを利用して遭難者の映像を送信することで、遭難者の正確な位置及び緊急な現状況を実時間で伝達することができる。
【００１１】
また、本発明による救命胴衣は、外皮が抗黴処理された生地で作られて長期保存が可能であり、内皮は低密度薄板ポリスチレン素材で作られて体積及び重量を減らすと同時に高浮力を保持することができる。特に、頭部と胴体部の前面板の内皮を形成する低密度薄板ポリスチレン発泡樹脂をそれ以外の部分より多く折り重ねて形成してより大きな浮力を発生させ、着用者の無駄な体力消耗を防止し、脱力などによって意識を失った場合にも、着用者の顔面部が水に接触しないようにして遭難者の安全性を高めるという効果がある。
【００１２】
また、ＬＤＰ発光装置と発光テープなどの発光手段を取り付けることにより、夜間にも救命胴衣着用者を容易に捜すことができるという効果がある。
【００１３】
以上、本発明について特定形状と構造を有する救命胴衣用海上位置探索による緊急救助システムを説明したが、本発明の権利範囲はこれに限定されず、当業者による変形および変更も本発明の範囲内に属する。
【発明を実施するための最良の形態】
【００１４】
本発明の救命胴衣用海上位置追跡による緊急救助システムは、救命胴衣と、マイクロコンピュータに入力されている救助信号及び固有ＩＤを送信部を通じて複数のＧＰＳ衛星に無線送信する前記救命胴衣に取り付けられた海上位置追跡端末機と、前記海上位置追跡端末機及びＧＰＳ衛星から信号を受信して前記救命胴衣を着用した遭難者の座標位置を演算し、これを内蔵されている電子地図(ＧＩＳ)に提供し、演算された座標位置を利用して遭難者の映像をモニターリングする中継衛星と、前記中継衛星から遭難者の座標位置が提供された電子地図及びモニターリングされる遭難者の映像に関する情報を受信し、これらを状況スクリーンに実時間でディスプレイして、遭難者の早期救助のための後続措置を取る中央統制センターと、を有して構成される。
【００１５】
特に、前記救命胴衣は、胸部または腹部と接触する前面板と、背中と接触する背面板とを有する胴体部と、前記胴体部に脱着されて頭を支持する頭部と、を有しており、前記胴体部の背面板及び頭部に浮力がより大きく発生することを特徴とする。
【００１６】
図１は、本発明の一実施例による概略的なブロック構成図であり、図２〜図４は、本発明の海上位置追跡端末機が取り付けられた救命胴衣の正面図、背面図及び内面図である。
【００１７】
まず、本発明の海上位置追跡端末機が取り付けられる救命胴衣を図２〜図４を参照して説明する。
【００１８】
本発明の海上位置追跡端末機３が取り付けられた救命胴衣は、前面板２１と背面板２２とからなる胴体部２０と、頭部１０と、支持ベルト２３と、夜間発光手段４０とを有して構成され、海上位置追跡端末機３が前記前面板２１に付着されていることを特徴とする。以下、発明の詳細な説明において、従来の救命胴衣と同様の内容は省略する。
【００１９】
前記支持ベルト２３は、救命胴衣を遭難者の体に堅く着用させるために、前面板２１に２列または３列に形成されることが好ましく、また、図４に示すように、救命胴衣が着用者の上方に上がらないように、前記胴体部２０の内側下部に脚を支持する支持ベルト２３が付着される。さらに、支持ベルト２３の連結は、その端部に形成された雄及び雌バックルの結合により行うことが、便利性及び安全性面で好ましい。
【００２０】
前記頭部１０は、着用者の頭の方により大きな浮力を発生させ、頭を保護するためのもので、半月形状に形成されて着用者の首及び頭を取り囲み、前記胴体部２０から脱着可能である。ここで、脱着方法は、ジッパーを使用することができる。
【００２１】
前記胴体部２０の肩部分は、着用者の活動性を柔軟にするために、前面板２１と背面板２２の間の肩部に当接する部分に境界を設けて薄く形成することが好ましい。なお、救命胴衣が子供用の場合には、胴体部２０の前面板２１上部に子供標識用マーク２４を挿入し、成人用と区別することが好ましい。
【００２２】
前記胴体部２０及び頭部１０は、外皮と内皮で構成される。
【００２３】
前記外皮は、外部に露出した部分として抗黴処理された生地で作られ、黴または微生物などから汚染を防止し、救命胴衣の長期保存を可能とする。
【００２４】
前記内皮は、救命胴衣の浮力材である低密度薄板ポリスチレン素材からなる発泡樹脂で作られ、前記外皮により覆われている形態で、救命胴衣の各要部に複数枚を折り重ねて形成されている。前記低密度薄板ポリスチレン発泡樹脂は、軽く、浮力性に優れてその持続性が高いという効果がある。前記内皮は、縫製の際に、着用者の動作特性を考慮して動作の便宜性及び耐久性を考慮して裁断する必要がある。また、着用者の体温維持のために４０枚程度を折り重ねて形成されることが好ましい。ただし、頭部１０の内皮は、より大きな浮力を発生させ、頭を保護するために、半月形状に裁断し、首と頭部分を充分に支持できるように１００ｇ以上を折り重ねた低密度薄板ポリスチレン素材で形成する。
【００２５】
また、前記内皮をなす低密度薄板ポリスチレン発泡樹脂は、前記胴体部２０の前面板２１には（特に胸部）４０〜４５枚、背面板２２には３５〜４０枚折り重ねて形成することにより、着用者の胸部分により大きな浮力が発生するようにすることが好ましい。これは、着用者が救命胴衣に頼って垂直に浮かんでいるよりも、浮力差によりやや横になった状態で浮かんでいる方が、遭難者の体力消耗を少なくして遭難者が長時間意識を失わないようにするためである。もし意識を失った場合にも、遭難者の頭が救命胴衣の頭部１０に自然に支持され、着用者の顔面部が水面に近づくことを防止するので安全である。
【００２６】
前記夜間発光手段４０は、夜間に遭難者を容易に見つけるための手段である。夜間に遭難者の位置を知らせるための手段としては閃光照明弾があり、その明るさと識別距離などの面で非常に効率的な手段であるが、閃光照明弾は、単発性で持続時間が短く、遭難者がそれをあまり所持しないという問題がある。
【００２７】
そこで、また他の夜間発光手段４０を設けなければならない。図２及び図３に示すように、夜間発光手段４０として発光テープ４０が胴体部２０及び頭部１０の所々に付着されている。前記発光テープ４０は、明るい昼には光を発しないが、夜間には光を発し、少しの照明でも吸収すれば、遠距離でも識別可能なように多くの光を発する。また、図示されていないが、電池、発光ランプ及びスイッチからなるＬＤＰ発光装置を救命胴衣の頭部１０または前面板２１の胸部に付着し、遭難者の前記スイッチ操作により前記発光ランプから光を発することも可能である。前記ＬＤＰ発光装置は、前記発光テープ４０をともに設けることが好ましい。
【００２８】
ここで、説明していない符号２５はポケットであり、符号２６はホイッスルなどをかけるためのＤリングである。
【００２９】
以下、図１を参照して本発明の救命胴衣用海上位置追跡による緊急救助システムを説明する。
【００３０】
図１及び図２を参照すれば、本発明は、救命胴衣に取り付けられた海上位置追跡端末機３、ＧＰＳ衛星１、中継衛星２、中央統制センター４、救助隊５を有して構成されている。
【００３１】
前記海上位置追跡端末機３は、動作スイッチ３１がＯＮになると、マイクロコンピュータが既に格納されている救助信号（例えば、ＳＯＳ、ＭＡＹ ＤＡＹ）及び遭難者の固有ＩＤ（正確には端末機３の固有番号）を救助信号送信部を介して増幅出力して、デジタル信号で複数のＧＰＳ衛星及び中継衛星に送信するようになる。ここで、前記マイクロコンピュータ３２は、救助信号が周期的に送信されるように制御し、電池３４の消耗を抑えることが好ましい。
【００３２】
前記海上位置追跡端末機３は、１ｍｍ以下の薄い板からなるチップで形成され、電池で動作する装置である。前記海上位置追跡端末機３は、緊急時のみ遭難者の単純操作によりＯＮ、ＯＦＦ可能であるので、電池３４の交換が半永久的に不要である。さらに、救命胴衣の生地はＰＵコーティング防水加工を施して耐水圧１０，０００ｍｍ程度であり、機械装置もまた、水の接触による腐食に対して耐久性及び耐食性がある。前記海上位置追跡端末機３が取り付けられる救命胴衣の位置は、頭部１０または胴体部２０の前面板２１（その中でも胸部または肩部）である。
【００３３】
前記中継衛星２は、前記海上位置追跡端末機３から受信された救助信号及び前記海上位置追跡端末機３から信号を受信した複数のＧＰＳ衛星１から受信した救助信号を利用して、前記海上位置追跡端末機３が取り付けられた救命胴衣を着た遭難者の座標位置を演算し、演算された遭難者の座標位置を内蔵されている電子地図（ＧＩＳ）に提供し、これを中央統制センターに送信する。さらに、演算された座標を通じて衛星ＤＭＢ（デジタルマルチメディア放送）を利用して遭難者の映像をモニターリングし、これも中央統制センターに送信する。もちろん遭難者の固有ＩＤも送信する。
【００３４】
前記中央統制センター４は、前記中継衛星２から受信した情報を利用して遭難者の電子地図上の位置及び遭難者の映像を状況スクリーンを通じて実時間でディスプレイし、遭難者の早期救助のために後続措置を取る。また、図示されていないが、前記中央統制センター４は、遭難者に関する情報（救助信号、遭難者の位置座標、遭難者の位置が表示された電子地図、遭難者の映像、遭難者の固有ＩＤ）をユビキタスコンピュータ環境に適した多機能周波数共用通信サービス（ＴＲＳ）を利用して有線または無線通信網を介してインターネット、画像携帯電話、基地局などに送信を行う。また、中央統制センター４は、高速データの伝送が可能な３．５世代移動通信を結合させた国家情報地理体系（ＮＧＩＳ）の統合沿岸管理情報システムと連動し、全世界の電子地図が内蔵されており、前記中継衛星２から遭難者の位置座標のみ受信すれば、独自的に遭難者の位置を電子地図上に表示してディスプレイすることが可能である。
【００３５】
前記救助隊は１１９、救助航空機、救助船舶などを意味する。前記救助隊は、前記中央統制センターから遭難者に関する情報（遭難者の位置が表示された電子地図及び遭難者の映像など)を受信したり、衛星受信装置が内蔵されている場合は、中継衛星から直接遭難者に関する情報を受信して遭難者の救助活動を行うことができる。
【産業上の利用可能性】
【００３６】
本発明は、船舶または航空災難時、救命胴衣を着用した遭難者を人工衛星を通じて迅速に探し、遭難者の位置が表示された電子地図及び遭難者の映像をスクリーンを通じて実時間でディスプレイして、遭難者を迅速に救助するための救命胴衣用海上位置追跡による緊急救助システムに関する。より詳細には、前記救命胴衣は、ＧＰＳ衛星及び中継衛星と無線信号を送受信して遭難者の位置を追跡することができる海上位置追跡端末機が取り付けられ、着用した場合、水面に対して頭部及び胸部に浮力がより大きく発生することを特徴とする。このように、遭難者の正確な位置、及び緊急状況を生々しく伝達することにより、人命被害を最小にすることができる。
【図面の簡単な説明】
【００３７】
【図１】本発明の一実施例によるシステムの概略的なブロック構成図。
【図２】救命胴衣の一実施例による正面図。
【図３】救命胴衣の一実施例による背面図。
【図４】救命胴衣の一実施例による内面図。
【符号の説明】
【００３８】
１…ＧＰＳ衛星
２…中継衛星
３…海上位置追跡端末機
４…中央統制センター
５…救助隊
１０…頭部
２０…胴体部
２１…前面板
２２…背面板
２３…支持ベルト
３２…マイクロコンピュータ
３３…救助信号送信部
４０…夜間発光手段
【図１】
2008535722.tif 000003
【図２】
2008535722.tif 000004
【図３】
2008535722.tif 000005
【図４】
2008535722.tif 000006
【国際調査報告】
2008535722.tif 000007
2008535722.tif 000008
2008535722.tif 000009
2008535722.tif 000010